(57)【要約】【課題】送風機本体による送風の一部を利用して制御機器を内蔵した制御箱内の冷却、換気を行うようにする。【解決手段】羽根車２と、円筒状のケーシング４、並びに羽根車２を回転駆動する電動機６とからなる送風機本体１による送風の一部を、ケーシング４の周壁の適所に設けた送風取出口５から取り出す。この取り出した送風の一部を、制御機器を内蔵した制御箱１０に設けた吸気口１１から該制御箱１０内に導入する。【選択図】      図１ 
2006002617.tif 000002
【特許請求の範囲】
【請求項１】
翼列を備えた羽根車と、該羽根車を囲む円筒状のケーシングと、前記羽根車を回転駆動する電動機とからなる送風機本体と、これの支持部とをもって構成される送風機において、前記ケーシングにおける周壁の適所に送風の一部の取出口を設ける一方、スイッチ等の電動機等を制御するための機器を内蔵した制御箱に吸気口と排気口とを設け、前記ケーシングに設けた送風の取出口から送風の一部を取り出し、この取り出した送風の一部を前記制御箱に設けた吸気口から制御箱内に導入し、該制御箱内の冷却、換気を行うようになしたことを特徴とする送風機。
【請求項２】
制御箱を、ケーシングの周壁外面に固定すると共に該制御箱の吸気口をケーシングの送風取出口に直接接続し、ケーシングの送風取出口から取り出した送風を直接制御箱内に導入するようになした請求項１記載の送風機。
【請求項３】
制御箱を、ケーシングから離れた位置に固定すると共に制御箱の吸気口とケーシングの送風取出口とを管路をもって接続し、ケーシングの送風取出口から取り出した送風を、管路を介して制御箱内に導入するようになした請求項１記載の送風機。
【発明の詳細な説明】
【技術分野】
【０００１】
本発明は送風機本体による送風の一部を利用して制御機器を内蔵した制御箱内の冷却、換気を行うようになした送風機に関するものである。
【背景技術】
【０００２】
送風機は、羽根車とケーシング、並びに羽根車を回転駆動する電動機とからなる送風機本体部分と、これを支持する部分とからなっており、そしてこれにスイッチ等の電動機等を制御するための機器を内蔵した制御箱が設置されている。
【０００３】
ところで、斯かる制御箱の内部は、内蔵されている機器から発せられる熱がこもり、時期が特に夏期であると異常な高温となり易い。
【０００４】
このため、従来は制御箱に換気扇を設置し、この換気扇によって制御箱内の冷却、換気を行っていた。
【０００５】
しかし、このように冷却、換気のために特別に換気扇を用意することは、余分なコストがかかることになる。
【発明の開示】
【発明が解決しようとする課題】
【０００６】
本発明は上記の点に鑑みなされたものであって、送風機本体による送風の一部を利用して制御箱内の冷却、換気を行うようになし、もって換気扇を不要として余分なコストがかからないようにすることができる送風機を提供せんとするものである。
【課題を解決するための手段】
【０００７】
而して、本発明の要旨とするところは、翼列を備えた羽根車と、該羽根車を囲む円筒状のケーシングと、前記羽根車を回転駆動する電動機とからなる送風機本体と、これの支持部とをもって構成される送風機において、前記ケーシングにおける周壁の適所に送風の一部の取出口を設ける一方、スイッチ等の電動機等を制御するための機器を内蔵した制御箱に吸気口と排気口とを設け、前記ケーシングに設けた送風の取出口から送風の一部を取り出し、この取り出した送風の一部を前記制御箱に設けた吸気口から制御箱内に導入し、該制御箱内の冷却、換気を行うようになしたことを特徴とする送風機にある。
【０００８】
また、上記構成において、制御箱を、ケーシングの周壁外面に固定すると共に該制御箱の吸気口をケーシングの送風取出口に直接接続し、ケーシングの送風取出口から取り出した送風を直接制御箱内に導入するようになしてもよい。
【０００９】
また、上記構成において、制御箱を、ケーシングから離れた位置に固定すると共に制御箱の吸気口とケーシングの送風取出口とを管路をもって接続し、ケーシングの送風取出口から取り出した送風を、管路を介して制御箱内に導入するようになしてもよい。
【発明の効果】
【００１０】
本発明は上記の如き構成であり、送風機本体による送風の一部を利用して制御箱内の冷却、換気を行うものであるから、換気扇を不要として余分なコストがかからないようにすることができるものである。
【発明を実施するための最良の形態】
【００１１】
本発明を実施するための最良の形態は、羽根車とケーシング、並びに羽根車を回転駆動する電動機とからなる送風機本体部分による送風の一部を取り出し、この取り出した送風の一部を、制御箱内に直接或いは管路を介して間接に導入し、もって制御箱内の冷却、換気を行うようになすものである。
【実施例１】
【００１２】
以下、本発明の実施例について説明する。
図１は本発明の実施例１の正面側から看た要部の概略図、図２は側面側から看た要部の概略図である。
【００１３】
図中、１は送風機本体である。また、該送風機本体１は、後記羽根車、ケーシング並びに電動機とからなるものである。尚、図においては該送風機本体１を支持する基台等の支持部は省略している。２は複数の翼３、３の翼列を備えた羽根車である。４は前記羽根車２を囲む円筒状のケーシングである。また、該ケーシング４における周壁の適所には、送風の一部の取出口５を設けている。６は前記羽根車２を回転駆動する電動機である。尚、該電動機６は、本実施例においては基台等に固定し、その回転軸６ａに固着したプーリ７と、前記羽根車２の回転軸２ａに固着したプーリ８との間にベルト９を掛け回し、ケーシング４の外からの駆動力をもって羽根車２を回転駆動しているが、電動機をケーシング４内に固定し、その回転軸に羽根車を接続して、直接回転駆動するようにしてもよい。
【００１４】
１０はスイッチ等の電動機等を制御するための機器を内蔵した制御箱であり、適宜の箇所に吸気口１１と排気口１２を設けている。また、本実施例においては、該制御箱１０は前記ケーシング４の周壁外面に固定している。そして、該制御箱１０の吸気口１１を前記ケーシング４の送風取出口５に直接接続している。
【００１５】
次に、本実施例の作用について説明する。
電動機６をもって羽根車２を回転駆動し、送風を開始すると、ケーシング４の周壁の適所に設けた送風取出口５から送風の一部が取り出される。そしてこの取り出された送風の一部は、制御箱１０に設けた吸気口１１から直接該制御箱１０内に送り込まれる。これによって制御箱１０内の冷却、換気が行われる。そして制御箱１０内に送り込まれた空気は、排気口１２から制御箱１０の外部に排出されるものである。
【実施例２】
【００１６】
次に、本発明の実施例２について説明する。
図３は本発明の実施例２の正面側から看た要部の概略図、図４は側面側から看た要部の概略図である。
【００１７】
本実施例と前記実施例１とは、前記実施例１において送風機本体１から取り出した送風の一部を、直接制御箱１０内に送り込むようになしているのに対して、本実施例においては管路を介して間接的に送り込むようになしている点において相違している。尚、その他の構成並びに作用は同様であるから、同一の部材には同一の符号を付して詳細な説明は省略する。
【００１８】
而して、本実施例は、制御箱１０を、ケーシング４から離れた位置に固定し、そしてそれに設けた吸気口１１とケーシング４の送風取出口５とを管路１３をもって接続するものである。これによりケーシング４の送風取出口５から取り出した送風の一部は、管路１３を介して制御箱１０内に送り込まれるものである。
【図面の簡単な説明】
【００１９】
【図１】本発明の実施例１の正面側から看た要部の概略図である。
【図２】本発明の実施例１の側面側から看た要部の概略図である。
【図３】本発明の実施例２の正面側から看た要部の概略図である。
【図４】本発明の実施例２の側面側から看た要部の概略図である。
【符号の説明】
【００２０】
１  送風機本体
２  羽根車
４  ケーシング
５  送風の一部の取出口
６  電動機
１０  制御箱
１１  吸気口
１２  排気口
１３  管路
【図１】
2006002617.tif 000003
【図２】
2006002617.tif 000004
【図３】
2006002617.tif 000005
【図４】
2006002617.tif 000006